(57)【要約】【課題】紙などを挟持した後に他の紙に引っかからないクリップを提供することと、接着剤など使用せずに導入補助板にクリップを差し込むだけで手指だけで紙などを簡単に挟める二重クリップが作れる導入補助板を提供する。【解決手段】上挟持板と上挟持板の先端よりも長く延びた下挟持板とを基板を挟んで対面させて開放側を当接させた弾性材料からなるクリップにおいて、当接部から開放側に向けて上挟持板から離れて下挟持板を曲げて、更に上挟持板の開放側で反対に上挟持板へ下挟持板を近づけて曲げている。導入補助板は、上導入板と下導入板とが導入基板を挟んで連接されていて、導入基板と上導入板との連接部近傍にクリップを保持するクリップ保持口を設け、導入基板と下導入板との連接部近傍にクリップを保持するクリップ保持口を設けている。【選択図】          図１
2004291611.tif 000002
【特許請求の範囲】
【請求項１】
上挟持板（３）と上挟持板（３）の先端よりも長く延びた下挟持板（４）とを基板（２）を挟んで対面させて開放側を当接させた弾性材料からなるクリップにおいて、当接部から開放側に向けて上挟持板（３）から離れて曲げて更に上挟持板（３）の開放側で反対に上挟持板（３）へ近づけて曲げた下挟持板（４）を設けたクリップ。
【請求項２】
上導入板（１３）と下導入板（１４）とが導入基板（１２）を挟んで連接されていて、導入基板（１２）と上導入板（１３）との連接部近傍にクリップを保持するクリップ保持口（１５）を設け、導入基板（１２）と下導入板（１４）との連接部近傍にクリップを保持するクリップ保持口（１５）を設けた導入補助板。
【請求項３】
上導入板（１３）と下導入板（１４）とが導入基板（１２）を挟んで連接されていて、導入基板（１２）と上導入板（１３）との連接部近傍にクリップを保持するクリップ保持口（１５）を設け、導入基板（１２）と下導入板（１４）との連接部近傍にクリップを保持するクリップ保持口（１５）を設け、上導入板（１３）あるいは下導入板（１４）にクリップの上挟持板（３）あるいは下挟持板（４）を覆い被せるクリップ被覆部（１７）を設けた導入補助板。
【請求項４】
上導入板（１３）と下導入板（１４）とが導入基板（１２）を挟んで連接されていて、導入基板（１２）と上導入板（１３）との連接部近傍にクリップを保持するクリップ保持口（１５）を設け、導入基板（１２）と下導入板（１４）との連接部近傍にクリップを保持するクリップ保持口（１５）を設け、上導入板（１３）と下導入板（１４）とにクリップの上挟持板（３）と下挟持板（４）とを覆い被せるクリップ被覆部（１７）を設けた導入補助板。
【発明の詳細な説明】
【０００１】
【発明の属する技術分野】
この発明は、複数の用紙などを手指で挟んだり取り外したりできるクリップであって、紙を綴じた後に別の紙などが引っかかりにくい構造となっている一つの構造体で作られたクリップに関するものと、挟持力のあるクリップに取り付けて紙などを手指で簡単に差し込める二重クリップが作れる導入補助板とに関するものである。
【０００２】
【従来の技術】
紙などを手で挟んで綴じる一つの構造体で作られたクリップで、かつ紙を綴じた後に別の紙などが引っかかりにくい構造となっているクリップには、紙を差し込む部分を略Ｖ字状としたクリップ（登録実用新案公報第３０４２５８４号）や、一本の弾性金属線を折り曲げたゼムクリップ類や、弾力性を有する平板の一部に歪みを与えて保持部を開閉することができるようにして被挟持物を挟持させるクリップ（特開２０００−１９０６７０・特開２００２−２１９８９０）や、連結部を境に第１の板体と第２の板体とを互いに対面するように配置して、少なくとも一方の内面にいずれか他方の内面側に膨出する突起を形成し、突起を形成した位置より前記連結部側を押圧することにより自由端部側を開くクリップ（特開平１１−４２８７７）や、互いに対向する第１の支持片と第２の支持片の一側端を連結部を介して連結し、第１の支持片の他端からＶ字形に曲げられた押え片を形成し、この押え片の外面と第２の支持片の内面との間に書類を差し込んで挟むようにするとともに、第２の支持片の内面には上記押え片の先端よりも連結部側に上記書類の面に係合する係合爪を形成したクリップ（特開２００２−１２０４８０）や、紙挿入部を横に設けているクリップ（公開実用新案昭和６１−１３３３７５）などがある。
クリップに取り付けて紙などを差し込みやすくしたものには、紙挟持クリップ用差込口板（特許第２９５８６７９）がある。
【０００３】
【発明が解決しようとする課題】
紙を綴じるクリップには色々あるが、紙を綴じた後に他の紙などが引っかかって外れてしまったり、また綴じている紙が外れはしないが他の物に引っかかってしまい扱いが面倒であったりする。従来技術で述べたように、他の紙が引っかかりにくい構造のクリップもあるが、従来のクリップには、次のような欠点がある。
登録実用新案公報第３０４２５８４にあるような紙を差し込む部分を略Ｖ字状としたクリップは、このＶ字状の部分で紙に傷がつく、さらに紙を差し込む部分の形状が略Ｖ字形状と限定されてしまい、四角・丸・動物・鳥・魚などの色々な形状のクリップを作りたい場合にデザインが限定されてしまう。
一本の弾性線を折り曲げたゼムクリップ類は、弾性金属板を使用したクリップと比べて挟持力が弱いので挟んだ紙がズレやすく外れやすいという欠点と、さらに挟む紙の枚数が少ない時には他の紙が引っかかりにくいが、挟む紙が少し厚くなると他の紙が引っかかりやすくなる。
特開２０００−１９０６７０・特開２００２−２１９８９０などにあるような弾力性を有する平板の一部に歪みを与えて保持部を開閉するクリップにあっては、紙などを挟持した後にクリップの上からまちがって押さえてしまうと開いてしまう。
【０００４】
特開平１１−４２８７７のクリップの構造では、小さなクリップであると指で押すことが難しくなるし、また紙を挟持する力を強くすれば自由端部側を開くには強い力が必要になる。
特開２００２−１２０４８０のクリップにおいては、支持片の他端からＶ字形に曲げられた押え片を形成し、この押え片の外面と第２の支持片の内面との間に書類を差し込んで挟むようにするので、３枚板という構造になり、クリップ自身が厚くなってしまい、やはり他の紙などと引っかかりが生じてしまう。
公開実用新案昭和６１−１３３３７５のように横から挿入し回転させて紙を綴じる構造のクリップでは、どうしても横の差込部分だけよけいに突出させているので、プラスチックや紙などのシートに設けられた切れ目に差し込む場合にはその突出分だけ長くなった切れ目でなければうまく差し込めないため、小さな切り込みに対応するのは困難である。
特許第２９５８６７９の上板と下板とを基板で挟んで対面延長させただけの紙挟持クリップ用差込口板のものでは、確かに板バネ式クリップの内側に入れて保持すれば、手指だけでは紙などを差し込めない従来の板バネ式クリップが紙などを手指で差し込めるようにはなる。しかし、紙挟持クリップ用差込口板の上から板バネ式クリップを止めただけでは、使用後しばらくの時期はしっかり固定されているが、板バネ式クリップと紙挟持クリップ用差込口板とが使用している間に離れてしまうので、板バネ式クリップと紙挟持クリップ用差込口板とは接着剤などで接着して固定しなければならず、その組立を自動化するには投資費用がかかり、手作業でつくるには手間がかかり、結局は製造コストが大変にかかることになる。
【０００５】
本発明が解決しようとする課題は、次の三点にある。
第１の課題は、紙などのシートを挟持した後に他の紙に引っかからず、プラスチックや紙などのシートに設けた切れ目にも簡単に差し込めて外れにくい、形状の多様性に対応できる一つの構造体で作られた挟持力の強いクリップを提供する点にある。
第２の課題は、挟持力のあるクリップを接着剤など使用せずに導入補助板に差し込むだけで、手指だけで紙などを簡単に強く挟める二重クリップが作れる導入補助板を提供する点にある。
第３の課題は、挟持力のあるクリップを接着剤など使用せずに導入補助板に差し込むだけで、手指だけで紙などを簡単に強く挟めて、挟持力のあるクリップが表面に出現しない二重クリップがつくれる導入補助板を提供する点にある。
【０００６】
【課題を解決するための手段】
請求項１の発明では、手指だけで紙を強く挟持できるとともにシートなどに設けられた切れ目などに簡単に差し込めて、かつ紙を綴じた状態であっても他の紙などに引っかかることがなく、色々な形状のものができ、挟んだ紙が外れにくいクリップにするには、打ち抜いた金属板を用いて基板を挟んで上挟持板と上挟持板よりも長い下挟持板とを対面して曲げて開放側を当接させ、その下挟持板の先端部分を内側に曲げればよいと考えた。
本発明の課題を解決するためには、次の矛盾する問題を解決すればよいと考えた。
手指で簡単に曲がらない弾性材料板でできたクリップに手指だけで紙を真っ直ぐに滑らせて差し込んで挟むには、クリップの差込部は予め広がって開いていなければならない。ところが、紙を挟んだ状態の時に他の紙などに引っかからないためには差込部は予め閉じていなければならない。この矛盾を解決することが本発明の最も重要なポイントであると考えて、色々試作しあれこれ考えて本発明を完成させた。
本発明に関わるクリップは、前記の課題を解決したものであって、次のようなものである。
すなわち、上挟持板３と上挟持板３の先端よりも長く延びた下挟持板４とを基板２を挟んで対面させて開放側を当接させた弾性材料からなるクリップ１において、当接部から開放側に向けて上挟持板３から離れて曲げて更に上挟持板３の開放側で反対に上挟持板３へ近づけて曲げた下挟持板４を設けてなるものである。後で紹介する実施例のようにプラスチックで成形加工してもよい。
【０００７】
請求項２記載の発明では、挟持力の強いクリップ１を接着剤など使用せずに導入補助板１０に取り付けて組み立てた後に、クリップ１と導入補助板１０とが使用しても外れることがないようにするにはどのようにすればよいか、いろいろ試作して考えた。そして、上導入板１３と導入基板１２との連接部近くに、下導入板１４と導入基板１２との連接部近くに、穴や切り込みを設けて、そこにクリップ１の上挟持板３か下挟持板４のどちらかをそれぞれの穴や切り込みに差し込むことで、クリップ１の基板２は導入補助板１０の導入基板１２により上から押さえられることになり、クリップ１と導入補助板１０は外れることがなくなる。
本発明に関わる導入補助板１０は、前記の課題を解決したものであって、次のようなものである。すなわち、上導入板１３と下導入板１４とが導入基板１２を挟んで連接されていて、導入基板１２と上導入板１３との連接部近傍にクリップを保持するクリップ保持口１５を設け、導入基板１２と下導入板１４との連接部近傍にクリップ１を保持するクリップ保持口１５を設けたものである。一つのクリップ１だけを取り付ける場合には二つのクリップ保持口１５を設けているが、複数のクリップ１を取り付けられるようにクリップ保持口１５を複数個設けてもよい。
【０００８】
請求項３記載の発明では、挟持力の強いクリップ１を接着剤など使用せずに導入補助板１０ａに差し込むだけで、手指だけで紙などを簡単に差し込めて、更にクリップ１が表面に出現しない導入補助板１０ａを提供するにはどのようにすればよいか考えた。そして、上導入板１３または下導入板１４に空洞部を設けてクリップ１の上挟持板３または下挟持板４を包み込むようにすればばよいと考えた。本発明に係わる導入補助板１０ａは、前記の課題を解決したものであって、次のようなものである。すなわち、上導入板１３と下導入板１４とが導入基板１２を挟んで連接されていて、導入基板１２と上導入板１３との連接部近傍にクリップ１を保持するクリップ保持口１５を設け、導入基板１２と下導入板１４との連接部近傍にクリップ１を保持するクリップ保持口１５を設け、上導入板１３あるいは下導入板１４にクリップを覆い被せるクリップ被覆部１７を設けたものである。
請求項４記載の発明では、上導入板１３と下導入板１４の両方にクリップ被覆部１７、１７を設けたものである。本発明に係わる導入補助板１０ｂは次のようなものである。すなわち、上導入板１３と下導入板１４とが導入基板１２を挟んで連接されていて、導入基板１２と上導入板１３との連接部近傍にクリップ１を保持するクリップ保持口１５を設け、導入基板１２と下導入板１４との連接部近傍にクリップ１を保持するクリップ保持口１５を設け、上導入板１３と下導入板１４とにクリップを覆い被せるクリップ被覆部１７を設けたものである。
【０００９】
【発明の実施の形態】
請求項１記載の発明によれば、上挟持板３と下挟持板４との間に挟む紙Ｐを入れて、そのまま当接部に向けて真っ直ぐに紙Ｐを押し込み、さらに基板２に向けて滑らしながら押し込む。このようにして紙Ｐはクリップ１に挟持保持される。このクリップ１により紙が挟持されている状態では、上挟持板３の先端部と紙Ｐとが接触しており、また下挟持板４の先端部も紙Ｐに接触しているので、他の紙やシートなどに引っかかることがなくなる。
請求項２記載の発明によれば、上導入板１３と下導入板１４とを対面させた導入補助板１０、１０ｃに設けてあるクリップ保持用の二つのクリップ保持口１５に挟持力の強い板バネ式クリップ１の上挟持板３か下挟持板４を差込み貫通させる。すると導入基板１２が外側にクリップ１の基板２が内側となる。このためにクリップ保持口１５と導入基板１２によりクリップ１は保持されるので、接着剤などを使用しなくてもクリップ１と導入補助板１０、１０ｃとは外れることがなくなり、手指だけで簡単に紙Ｐを差し込むことのできる二重クリップ２０が作成できる。
請求項３記載の発明によれば、クリップ１の上挟持板３または下挟持板４がクリップ被覆部１７で包み込まれるので、クリップ１の上挟持板３か下挟持板４のどちらかは導入補助板の表に出現しなくなる。
請求項４記載の発明によれば、クリップ１の上挟持板３と下挟持板４がクリップ被覆部１７に包み込まれるので、クリップ１の上挟持板３と下挟持板４の両方が導入補助板１０ｂの表に出現しなくなる。
【００１０】
【実施例】
実施例１
本発明の実施例１を、図１から図４に基づいて説明する。
図１は実施例１のものの構造を示す斜視図で、図２は実施例１のもののＡ−Ａ断面図である。図３と図４は、実施例１のものの使用状態を示す断面図である。実施例１のクリップ１は弾性金属板を抜き打ちした後に折り曲げて作られたものである。
この実施例１のものは、抜き打ちした一枚の細長い弾性金属板の中心から偏った位置に基板２を設けてその基板２を挟んで曲げて、上挟持板３と下挟持板４とを当接させている。その上挟持板３は、平らな形状となっている。その下挟持板４は、上挟持板３との当接部から開放側に向けて上挟持板３から離れて曲がっていて更に上挟持板３の開放先端側で上挟持板３へ近づけて曲げてある。そして更に下挟持板４は、上挟持板３の先端部より先に延びてその上挟持板３の先端部からの延長線より上にくる構造となっている。下挟持板４が上挟持板３の先端部より上にこなくても、他の紙などに引っかかりにいという機能はある程度はっきできる。
【００１１】
以上のような構造であるから、上挟持板３の先端部と下挟持板４の先端部とに空間ができる。そして、本格的に紙Ｐを挟持するまでの差込のための補助としてその空間は作用するので、手指だけで紙を差し込むことができるのである。
紙Ｐを挟持するときには、図３に示すように、上挟持板３と下挟持板４との空間に紙Ｐを置き、次にそのまま紙Ｐを基板２に向かって真っ直ぐ押し込む。
図４は紙Ｐを挟んだ状態を示している。上挟持板３の先端部の延長線と下挟持板４の先端部とが交差する構造となっているので、上挟持板３の先端部が紙Ｐの上側と接し、下挟持板４の先端部が紙Ｐの下側に接した状態となっている。
こうして、手指だけでクリップ１に紙Ｐを簡単にしかも強く挟持することができ、しかも紙などを挟持している状態の時には他のシートなどに引っかかることがない。
この実施例１においては、基板２は平らであるが、色々な形状が考えられる。また、上挟持板３は真っ直ぐに延びた状態であるが、その先端部ではわずかに開くように曲げてあっても、綴じる紙があまり厚くない場合には、他の紙との引っかかりが少なくて使用する上であまり問題がない。
【００１２】
実施例２
本発明の実施例２を、図５に基づいて説明する。
図５は実施例２の断面図である。実施例２はプラスチックを成形加工したものである。プラスチックで成形加工した場合には、上挟持板３と下挟持板４とを当接させる力が余り強くならないので、挟持力を強くするためにプラスチック製クリップでは一般に行われている当接部またはその近傍に凹凸を設ける方法で、上挟持板３の当接部に突出部１３を設けている。さらに下挟持板４の開放側先端部は丸みを持たせて曲げてある。
使い方は、実施例１と同じである。
【００１３】
実施例３
図６から図１０は、実施例３の導入補助板１０についての例を示したものである。本発明の実施例３を、図６から図１０に基づいて説明する。
図６は実施例３の導入補助板１０の展開図、図７は実施例３のものを折り曲げた状態を示す斜視図である。図８は実施例３の導入補助板１０にクリップ１を組み付けた二重クリップ２０の斜視図、図９はその二重クリップ２０のもののＢ−Ｂ断面の拡大図、図１０は実施例１で作った二重クリップ２０の使用状態を示す断面の拡大図である。
図６は、導入補助板１０の展開図であって、厚さ０．４ｍｍのポリプロピレン板を面取りした横に長い長方形に抜き打ちして作った物で、手指で簡単にまげられるものである。この導入補助板１０の横方向の中心から少し右にずれた位置に、組み付けるクリップ１の基板２の挟持厚さを支配する縦幅寸法とほぼ同じ寸法に離れた２本の平行な折線１１、１１を設けている。これにより、導入基板１２と、その導入基板１２に連結して上導入板１３と上導入板１３より長い下導入板１４とが形成される。更に折線１１、１１のほぼ中央に切れ目を形成してクリップ保持口１５、１５を設けている。
【００１４】
図７は、導入補助板１０の折線１１、１１を折り曲げた時の斜視図である。
図８は、本発明のクリップ１をこの導入補助板１０のクリップ保持口１５、１５に差し込んで二重クリップ２０としたものの斜視図である。このようにすることで、プラスチック板を抜き打ちした色々な形状の導入補助板１０により色々な形状の二重クリップ２０が、接着剤などを使用せずに簡単にしかも低コストで作成できるようになる。
図９は、図８のＢ−Ｂ断面図の拡大図である。クリップ１の上挟持板３と下挟持板４は導入補助板１０の外側になっている。そしと導入基板１２がクリップ保持口１５、１５に通されているので、導入補助板１０の導入基板１２の内側にクリップ１の基板２がくることになる。すなわち、クリップ１と導入補助板１０とは外れることがなくなる。
図１０は、この二重クリップ２０に紙Ｐを差し込む状態を示したものである。導入補助板１０は手で曲げられる材料であるから上導入板１３と下導入板１４は手指で押し広げて紙Ｐを差し込むことができる。
【００１５】
実施例４
本発明の実施例４を、図１１から図１５に基づいて説明する。
図１１はクリップ被覆部シート１６である。プラスチックの薄いシートを四角に切り、そのシートの片面側の端部に帯状のコ字状に感圧接着剤１８を設けたものである。感圧接着剤１８でなくても、粘着剤であってもよい。また、感圧接着剤１８はコの字状でなくて両端に沿って帯状に設けてあってもよい。
図１２はクリップ被覆部シート１６を実施例３の導入補助板１０に取り付けた状態の導入補助板１０ａの展開図である。クリップ被覆部シート１６の接着剤のない部分と上導入板１３との間に空間ができ、その空間がクリップ被覆部１７を形成することになる。クリップ被覆部シート１６を導入補助板１０に取り付ける方法は、溶着などであってもよい。このクリップ被覆部シート１６の形状はいろいろなものが考えられる。
図１３は実施例４の導入補助板１０ａを折線１１、１１で折り曲げた状態の斜視図である。クリップ被覆部シート１６は上導入板１３の外側でなく内側になっているので、上導入板１３にはクリップ１が出現しないようになる。
図１４は実施例４の導入補助板１０ａにクリップ１を取り付けた状態の斜視図、図１５はそのＣ−Ｃ断面の拡大図である。
【００１６】
実施例５
本発明の実施例５を、図１６から図１７に基づいて説明する。
図１６は実施例５の導入補助板１０ｂの斜視図である。この実施例５では、プラスチックの一体成形で作成したものである。クリップ被覆部１７は貫通しているが、先端まで延びなくい留まり穴の状態であってもよい。
図１７はそのＤ−Ｄ断面図である。
【００１７】
実施例６
本発明の実施例６を、図１８と図１９に基づいて説明する。
図１８は実施例６の導入補助板１０ｃの展開図で、図１９は導入補助板１０ｃを折り曲げた状態を示したものである。
図１８は、導入補助板１０ｃの展開図であって、厚さ０．４ｍｍのポリプロピレン板を抜き打ちして作った物である。この導入補助板１０ｃの横方向の中心から少し右にずれた位置に、組み付けるクリップ１の基板２の挟持厚さを支配する縦幅寸法とほぼ同じ寸法に離れた２本の平行な折線１１、１１を導入補助板１０ｃの端まで延ばさずに途中までとして切り込んである。そして上導入板１３側の折線１１の両端から下導入板１４に向けて丸みを持たせた切り込みを設けている。更に折線１１、１１のほぼ中央に切れ目を形成してクリップ保持口１５、１５を設けている。
図１９は図１８の導入補助板１０ｃを折線１１、１１で折り曲げたものの斜視図である。紙などを差し込む導入側とは反対側に向かって上導入板１３の一部分が突き出た形となり、その突き出した部分はインデックスなどに利用できる。
【００１８】
以上、図面に示して詳述した実施例と図面に示さずに記述した実施例について説明した。しかし本発明はこのような各実施例に限定されず、本発明の精神を逸脱しない種種の変形実施が可能である。例えば導入補助板には弾性体が適しているが、紙などであってもかまわない。材質・厚さ・大きさ形状などはその機能が働くものであれば色々と変更できる。
一つのクリップ１を取り付けるものである導入補助板について述べてきたが、クリップ保持口１５は二つ以上のクリップが設けられるようにしてもよい。またその位置は折線１１の中心でなく左右どちらかに寄っていてもよいし、クリップ保持口１５の形状は取り付けるクリップ１の断面形状によってその形状に適した形状であればよいので、丸・三角いろいろな形状が考えられる。
【００１９】
【発明の効果】
請求項１の発明によれば、手指だけで紙を強く挟持でき、かつ紙を綴じた状態であっても他の紙などに引っかかることがなく、色々な形状のものができ、上から押されても開かず、かつシートなどに設けられた切れ目などにも簡単に差し込める。
請求項２の発明によれば、手指だけで紙などを簡単に強く挟める二重クリップが接着剤などを使用せずに低コストで作れる。
請求項３の発明によれば、手指だけで紙などを簡単に強く挟める二重クリップが作れて、さらにクリップの上挟持板か下挟持板のどちらかが導入補助板の上導入板か下導入板のどちらかの表面に出現しないので、上導入板か下導入板のどちらか一方のクリップが出現しない外側表面はクリップにじゃまされず、印刷などに全てが利用できるようになる。
請求項４の発明によれば、手指だけで紙などを簡単に強く挟める二重クリップが作れて、さらにクリップの上挟持板と下挟持板とが導入補助板の上導入板と下導入板との両表面に出現しないので、クリップの出現しない上導入板と下導入板との外側表面はクリップにじゃまされず印刷などに全てが利用できるようになる。
【００２０】
【図面の簡単な説明】
【図１】実施例１の構造を示す斜視図である。
【図２】実施例１のＡ−Ａ線における断面図である。
【図３】実施例１のものに紙を差し込むときの断面図である。
【図４】実施例１のものに紙を挟持保持している状態の断面図である。
【図５】実施例２のものの断面図である。
【図６】実施例３を示す展開図である。
【図７】実施例３の導入補助板を折り曲げた状態の斜視図である。
【図８】実施例３の導入補助板にクリップ１を組み付けた状態の斜視図である。
【図９】実施例３の導入補助板にクリップ１を組み付けた状態のＢ−Ｂ断面の拡大図である。
【図１０】実施例３の導入補助板にクリップ１を組み付けた状態での作用を示す断面の拡大図である。
【図１１】実施例４のクリップ被覆部シートを示す展開図である。
【図１２】実施例４のものの展開図である。
【図１３】実施例４の導入補助板を折り曲げた状態の斜視図である。
【図１４】実施例４の導入補助板にクリップ１を組み付けた状態の斜視図である。
【図１５】実施例４の導入補助板にクリップ１を組み付けた状態のＣ−Ｃ断面の拡大図である。
【図１６】実施例５の斜視図である。
【図１７】実施例５のＤ−Ｄ断面の拡大図である。
【図１８】実施例６の展開図である。
【図１９】実施例６の導入補助板を折り曲げた状態の斜視図である。
【符号の説明】
Ｐ  紙
１    クリップ
２    基板
３    上挟持板
４    下挟持板
５    突出部
１０    導入補助板
１０ａ  導入補助板
１０ｂ  導入補助板
１０ｃ  導入補助板
１１    折線
１２    導入基板
１３    上導入板
１４    下導入板
１５    クリップ保持口
１６    クリップ被覆部シート
１７    クリップ被覆部
１８    感圧接着剤
２０    二重クリップ
２０ａ  二重クリップ
【図１】
2004291611.tif 000003
【図２】
2004291611.tif 000004
【図３】
2004291611.tif 000005
【図４】
2004291611.tif 000006
【図５】
2004291611.tif 000007
【図６】
2004291611.tif 000008
【図７】
2004291611.tif 000009
【図８】
2004291611.tif 000010
【図９】
2004291611.tif 000011
【図１０】
2004291611.tif 000012
【図１１】
2004291611.tif 000013
【図１２】
2004291611.tif 000014
【図１３】
2004291611.tif 000015
【図１４】
2004291611.tif 000016
【図１５】
2004291611.tif 000017
【図１６】
2004291611.tif 000018
【図１７】
2004291611.tif 000019
【図１８】
2004291611.tif 000020
【図１９】
2004291611.tif 000021